(57)【要約】      （修正有）【課題】テレビに簡単に接続して、状況に応じてテレビ視聴を適切に取り締まることができるテレビ視聴制御装置を提供する。【解決手段】テレビのデジタルインターフェース部に装着され、距離設定部と、時間設定部と、超音波センサーと、装着型無線通信モジュールと、制御ユニット１０２とを含む。制御ユニットは、インターフェース信号処理部と制御部とを含む。テレビ視聴制御装置は、視聴者とテレビとの距離を測定して、設定された距離以内の位置で視聴者がテレビを視聴するか、或いは無線通信網を介してスマートフォンから遠隔制御信号が受信されると、テレビ視聴を取り締まるように制御する。また、設定された視聴時間が経過しても連続的に視聴する場合にデジタル画像ソースから提供されるデジタル画像データ信号のブルーライトを調節して、再処理されたデジタル画像データ信号を出力させる。【選択図】図３
0003224498.tif 000002
【実用新案登録請求の範囲】
【請求項１】
テレビ視聴制御装置（１００）において、
デジタル画像ソース（２００）に装着される第１デジタルインターフェースコネクタと、
テレビ（２１０）に装着される第２デジタルインターフェースコネクタと、
前記テレビ（２１０）と視聴者との視聴距離を設定する距離設定部（１４０）と、
前記テレビ（２１０）と視聴者との視聴距離を測定する超音波センサー（１５０）と、
前記第１デジタルインターフェースコネクタからデジタル画像データ信号を受けて複数のチャンネル別に信号処理して前記第２デジタルインターフェースコネクタへ出力するインターフェース信号処理部（１１０）と、
前記距離設定部（１４０）によって設定された距離情報を保存し、前記超音波センサー（１５０）から測定された視聴距離が、前記距離設定部（１４０）によって設定された視聴距離以内であれば、前記第１デジタルインターフェースコネクタから前記第２デジタルインターフェースコネクタへ出力されるデジタル画像データ信号を遮断するように前記インターフェース信号処理部（１１０）を制御する制御部（１０４）と、を含んでなり、
前記テレビ視聴制御装置（１００）は、
視聴者の前記テレビ（２１０）の連続視聴が許容される視聴時間を設定する時間設定部（１４２）をさらに含み、
前記制御部（１０４）は、
前記時間設定部（１４２）によって設定された時間情報を保存し、前記超音波センサー（１５０）から視聴者が検知され、前記時間設定部（１４２）によって設定された視聴時間が経過すると、前記第１デジタルインターフェースコネクタから提供されるデジタル画像データ信号のブルーライトを調節し、ブルーライトが調節されたデジタル画像データ信号を再処理して前記第２デジタルインターフェースコネクタへ出力するように前記インターフェース信号処理部（１１０）をさらに制御し、
前記テレビ視聴制御装置（１００）は、
無線通信網（２００）を介してスマートフォン（２２０）から遠隔制御信号を受けて前記制御部（１０４）へ提供する装着型無線通信モジュール（１６０）をさらに含み、
前記制御部（１０４）は、
前記装着型無線通信モジュール（１６０）から提供される遠隔制御信号に応答して、前記第１デジタルインターフェースコネクタから前記第２デジタルインターフェースコネクタへ出力されるデジタル画像データ信号を遮断するように前記インターフェース信号処理部（１１０）をさらに制御するか、或いは、前記第１デジタルインターフェースコネクタから提供されるデジタル画像データ信号のブルーライトを調節し、ブルーライトが調節されたデジタル画像データ信号を再処理して前記第２デジタルインターフェースコネクタへ出力するように前記インターフェース信号処理部（１１０）をさらに制御し、
前記第１及び前記第２デジタルインターフェースコネクタは、高鮮明マルチメディアインターフェース（Ｈｉｇｈ  Ｄｅｆｉｎｉｔｉｏｎ  Ｍｕｌｔｉｍｅｄｉａ  Ｉｎｔｅｒｆａｃｅ：ＨＤＭＩ（登録商標））規格のコネクタとして備えられ、
前記インターフェース信号処理部（１１０）は、
前記第１デジタルインターフェースコネクタからデジタル画像データ信号を受け入れるＨＤＭＩ（登録商標）入力部（１１１）と、
前記第２デジタルインターフェースコネクタへ信号処理されたデジタル画像データ信号を出力するＨＤＭＩ（登録商標）出力部（１１７）と、
前記ＨＤＭＩ（登録商標）入力部（１１１）から複数のチャンネル別デジタル画像データ信号を受けて前記制御部（１０４）の制御によってチャンネル別デジタル画像データ信号を選択的に出力するようにスイッチングされるスイッチング部（１１２）と、
前記スイッチング部（１１２）からチャンネル別デジタル画像データ信号を受けて各チャンネル別にＴＭＤＳレベル信号に変換して前記ＨＤＭＩ（登録商標）出力部（１１７）へ出力するＴＭＤＳトランスミッタ（１１３）と、を含み、
前記制御部（１０４）は、
前記ＨＤＭＩ（登録商標）入力部（１１１）から前記スイッチング部（１１２）へ提供されるチャンネル別デジタル画像データ信号をそれぞれスイッチングオフして前記ＴＭＤＳトランスミッタ（１１３）へ出力されることを遮断するか、或いは、
前記ＨＤＭＩ（登録商標）入力部（１１１）から前記スイッチング部（１１２）へ提供されるチャンネル別デジタル画像データ信号のうち、ＲチャンネルとＧチャンネルのデジタル画像データ信号を前記ＴＭＤＳトランスミッタ（１１３）へ伝送するようにスイッチングオンし且つＢチャンネルのデジタル画像データ信号を遮断して前記制御部（１０４）へ提供するようにスイッチングオフしてデジタル画像データ信号のブルーライトを調節し、ブルーライトが調節されたＢチャンネルのデジタル画像データ信号を前記ＴＭＤＳトランスミッタ（１１３）へ提供して、前記ＴＭＤＳトランスミッタ（１１３）がＲチャンネルとＧチャンネルのデジタル画像データ信号とブルーライトが調節されたＢチャンネルのデジタル画像データ信号を再処理するように出力する
ことを特徴とするテレビ視聴制御装置。
【考案の詳細な説明】
【技術分野】
【０００１】
本考案は、テレビ視聴制御装置に係り、より具体的には、テレビのインターフェースコネクタに接続され、超音波センサーを用いて視聴者との距離を測定して設定距離内に視聴者が検知されると、テレビの画像と音声を取り締まるように制御し、連続視聴の際に視力への悪影響を最小限に抑えるためにブルーライトを調節し、無線通信網を介してスマートフォンと連動してテレビ視聴を取り締まるように制御するテレビ視聴制御装置及びその制御方法に関する。
【背景技術】
【０００２】
今日、幼児及び小児期、成長期の子供たちの過度なテレビ（ＴＶ）視聴による不正な影響は、数多くの研究資料で明らかになっている。それにも拘わらず、親がこれを適切に取り締まることができる手段が不足して、テレビ視聴を取り締まるには多くの困難がある。
【０００３】
特に幼児期のＴＶ視聴は、実際状況の空間及び知覚感覚が完成する前に、ＴＶを介した空間及び知覚感覚の形成により、実際現実感覚認知能力が低下する現象が発生することもある。また、大型化及び３Ｄ ＴＶの普及により、このような副作用はますます大きくなっているのが実情である。
【０００４】
これに加えて、ＴＶ視聴の際にブルーライト（ｂｌｕｅ ｌｉｇｈｔ）が目の視力に及ぼす悪影響は、既によく知られている事実である。ブルーライトは、例えば、コンピュータディスプレイ装置、スマートフォン、ＴＶなどから多く放出される青色系の光源であって、約３８０乃至５００ｎｍの波長に存在する青色系の光である。しかし、ブルーライトに長い間曝露されると、目の疲労だけでなく、眼球乾燥症を誘発し、激しい場合には、目の中の網膜または水晶体に損傷をもたらすおそれがある。また、夜遅くスマートフォンやＰＣ、ＴＶなどを長時間見る場合、ブルーライトにより睡眠誘導ホルモンの分泌が阻害され、睡眠を妨げることもある。
【０００５】
このような副作用にも拘わらず、親が子供たちのＴＶ視聴取り締まりのための円滑な手段がないため、たまに子供たちと神経戦をしなければならない困難がある。よって、このような困難を容易に解決することができる手段の開発が求められる。
【考案の概要】
【考案が解決しようとする課題】
【０００６】
本考案の目的は、成長期の子供たちのテレビ視聴時間と近接視聴を取り締まって子供たちの視力を保護するとともにテレビ視聴の習慣を改善するためのテレビ視聴制御装置及びその制御方法を提供することにある。
【０００７】
本考案の他の目的は、連続的なテレビ視聴の際に、ブルーライトを自動的に調節するようにして、視力への悪影響を最小限に抑えるためのテレビ視聴制御装置及びその制御方法を提供することにある。
本考案の別の目的は、スマートフォンと連動してテレビ視聴を遠隔制御するためのテレビ視聴制御装置及びその制御方法を提供することにある。
【課題を解決するための手段】
【０００８】
上記目的を達成するために、本考案のテレビ視聴制御装置は、デジタル画像ソースとテレビとの間に備えられ、視聴者とテレビとの距離をリアルタイムで測定して、テレビに入力されるデジタル画像データの出力を遮断するか、或いは連続的な視聴時間を把握してデジタル画像データのブルーライトを再処理して出力するか、或いは無線通信網を介してテレビ視聴を遠隔制御することにその特徴がある。このような本考案のテレビ視聴制御装置は、成長期の子供たちのテレビ視聴時間と近接視聴を取り締まって子供たちの視力を保護するとともにテレビ視聴習慣を改善させることができる。
【０００９】
この特徴による本考案のテレビ視聴制御装置は、デジタル画像ソースに装着される第１デジタルインターフェースコネクタと、テレビに装着される第２デジタルインターフェースコネクタと、前記テレビと視聴者との視聴距離を設定する距離設定部と、前記テレビと視聴者との視聴距離を測定する超音波センサーと、前記第１デジタルインターフェースコネクタからデジタル画像データ信号を受けて複数のチャンネル別に信号処理して前記第２デジタルインターフェースコネクタへ出力するインターフェース信号処理部と、前記距離設定部によって設定された距離情報を保存し、前記超音波センサーから測定された視聴距離が、前記距離設定部により設定された視聴距離以内であれば、前記第１デジタルインターフェースコネクタから前記第２デジタルインターフェースコネクタへ出力されるデジタル画像データ信号を遮断するように前記インターフェース信号処理部を制御する制御部と、を含む。
【００１０】
この特徴の一実施形態において、前記テレビ視聴制御装置は、視聴者の前記テレビの連続視聴が許容される視聴時間を設定する時間設定部をさらに含み、前記制御部は、前記時間設定部によって設定された時間情報を保存し、前記超音波センサーから視聴者が検知され、前記時間設定部によって設定された視聴時間が経過すると、前記第１デジタルインターフェースコネクタから提供されるデジタル画像データ信号のブルーライトを調節し、ブルーライトが調節されたデジタル画像データ信号を再処理して前記第２デジタルインターフェースコネクタへ出力するように、前記インターフェース信号処理部をさらに制御する。
【００１１】
他の実施形態において、前記テレビ視聴制御装置は、無線通信網を介してスマートフォンから遠隔制御信号を受けて前記制御部へ提供する装着型無線通信モジュールをさらに含み、前記制御部は、前記装着型無線通信モジュールから提供される遠隔制御信号に応答して前記第１デジタルインターフェースコネクタから前記第２デジタルインターフェースコネクタへ出力されるデジタル画像データ信号を遮断するように前記インターフェース信号処理部をさらに制御するか、或いは前記第１デジタルインターフェースコネクタから提供されるデジタル画像データ信号のブルーライトを調節し、ブルーライトが調節されたデジタル画像データ信号を再処理して前記第２デジタルインターフェースコネクタへ出力するように前記インターフェース信号処理部をさらに制御する。
【００１２】
別の実施形態において、前記第１及び前記第２デジタルインターフェースコネクタは、高鮮明マルチメディアインターフェース規格のコネクタとして備えられ、前記インターフェース信号処理部は、前記第１デジタルインターフェースコネクタからデジタル画像データ信号を受け入れるＨＤＭＩ（登録商標）入力部と；前記第２デジタルインターフェースコネクタへ信号処理されたデジタル画像データ信号を出力するＨＤＭＩ（登録商標）出力部と、前記ＨＤＭＩ（登録商標）入力部から複数のチャンネル別デジタル画像データ信号を受けて前記制御部の制御によってチャンネル別デジタル画像データ信号を選択的に出力するようにスイッチングされるスイッチング部と、前記スイッチング部からチャンネル別デジタル画像データ信号を受けて各チャンネル別にＴＭＤＳレベル信号に変換して前記ＨＤＭＩ（登録商標）出力部へ出力するＴＭＤＳトランスミッタとを含む。
【００１３】
別の実施形態において、前記制御部は、前記ＨＤＭＩ（登録商標）入力部から前記スイッチング部へ提供されるチャンネル別デジタル画像データ信号をそれぞれスイッチングオフして、前記ＴＭＤＳトランスミッタへ出力されることを遮断するか；或いは、前記ＨＤＭＩ（登録商標）入力部から前記スイッチング部に提供されるチャンネル別デジタル画像データ信号のうち、ＲチャンネルとＧチャンネルのデジタル画像データ信号を前記ＴＭＤＳトランスミッタへ伝送するようにスイッチングオンし且つＢチャンネルのデジタル画像データ信号を遮断して前記制御部へ提供するようにスイッチングオフしてデジタル画像データ信号のブルーライトを調節することにより、ブルーライトが調節されたＢチャンネルのデジタル画像データ信号を前記ＴＭＤＳトランスミッタへ提供して前記ＴＭＤＳトランスミッタがＲチャンネルとＧチャンネルのデジタル画像データ信号とブルーライトが調節されたＢチャンネルのデジタル画像データ信号を再処理するように出力する。
【００１４】
本考案の他の特徴によれば、テレビ視聴制御装置の制御方法が提供される。
この特徴による本考案のテレビ視聴制御装置の制御方法は、前記テレビ視聴制御装置がデジタル画像ソースとテレビとの間に装着され、距離設定部と時間設定部を用いて視聴者と前記テレビとの視聴距離および前記テレビの連続視聴が許容される視聴者の視聴時間を設定するステップと、超音波センサーから視聴者が検知されると、視聴者と前記テレビとの距離を測定し、測定された視聴者の位置が、設定された視聴距離以内で検知されると、前記デジタル画像ソースから提供されるデジタル画像データ信号を遮断するようにインターフェース信号処理部を制御するステップと、前記超音波センサーによって視聴者が検知され、検知された時刻から設定された視聴時間が経過すると、前記デジタル画像ソースから提供されるデジタル画像データ信号のブルーライトを調節し、ブルーライトが調節されたデジタル画像データ信号を再処理して前記テレビへ提供するように前記インターフェース信号処理部を制御するステップとを含む。
【００１５】
この特徴の一実施形態において、前記制御方法は、前記テレビ視聴制御装置に無線通信網を介してスマートフォンと連動する装着型無線通信モジュールが装着され、前記スマートフォンから前記装着型無線通信モジュールに遠隔制御信号が受信されると、前記遠隔制御信号に応答して、前記デジタル画像ソースから提供されるデジタル画像データ信号を遮断するように前記インターフェース信号処理部を制御するか、或いは、前記デジタル画像ソースから提供されるデジタル画像データ信号のブルーライトを調節し、ブルーライトが調節されたデジタル画像データ信号を再処理して前記テレビへ提供するように前記インターフェース信号処理部を制御するステップをさらに含む。
【００１６】
他の実施形態において、前記インターフェース信号処理部を制御するステップは、前記デジタル画像ソースから提供されるデジタル画像データ信号を複数のチャンネル別デジタル画像データ信号に処理し、チャンネル別デジタル画像データ信号の全てを前記テレビへ出力することが遮断されるように前記インターフェース信号処理部をスイッチングオフするか；或いは、チャンネル別デジタル画像データ信号のうち、ＲチャンネルとＧチャンネルのデジタル画像データ信号はスイッチングオンし且つＢチャンネルのデジタル画像データ信号はスイッチングオフしてデジタル画像データ信号のブルーライトを調節することにより、前記インターフェース信号処理部がＲチャンネルとＧチャンネルのデジタル画像データ信号とブルーライトが調節されたＢチャンネルのデジタル画像データ信号を再処理するように制御する。
【考案の効果】
【００１７】
上述したように、本考案のテレビ視聴制御装置は、デジタル画像ソースとテレビとの間に設置され、超音波センサーを用いて視聴者とテレビとの距離をリアルタイムで測定し、テレビに入力されるデジタル画像データの出力を遮断するか、或いは設定された連続的な視聴時間を把握してデジタル画像データのブルーライトを再処理して出力するか、或いは無線通信網を介してテレビ視聴を遠隔制御するようにすることにより、成長期の子供たちのテレビ視聴時間と近接視聴を取り締まって子供たちの視力を保護するとともにテレビ視聴習慣を改善させることができる。
また、本考案のテレビ視聴制御装置は、テレビのＨＤＭＩ（登録商標）信号入力端子に簡単に接続して、必要及び状況に応じてテレビ視聴を適切に取り締まることができる。
【００１８】
また、本考案のテレビ視聴制御装置は、必要に応じて、無線通信モジュールを装着して外部のスマートフォンのアプリケーションを用いて屋内および外部でテレビ視聴を制御することができる。
【００１９】
また、本考案のテレビ視聴制御装置は、外部の別途電源を使用せずに、テレビのＨＤＭＩ（登録商標）信号入力端子、ＵＳＢ端子などを介して電源の供給を受けてテレビ視聴を取り締まることができる。
【図面の簡単な説明】
【００２０】
【図１】本考案に係るテレビ視聴制御装置とテレビとの接続構成を示すブロック図
【図２】図１に示されたテレビ視聴制御装置の構成を示す斜視図
【図３】図２に示されたテレビ視聴制御装置の構成を示すブロック図
【図４】図３に示されたインターフェース信号処理部の構成を示す回路図
【図５】本考案に係るテレビ視聴制御装置の制御手順を示すフローチャート
【考案を実施するための形態】
【００２１】
本考案の実施形態は、様々な形態に変形でき、本考案の範囲が後述の実施形態によって限定されるものと解釈されてはならない。本実施形態は、当業分野における通常の知識を有する者に本考案をより完全に説明するために提供されるものである。よって、図面における構成要素の形状などは、より明確な説明を強調するために誇張されたものである。
【００２２】
以下、図１乃至図５を参照して本考案の実施形態を詳細に説明する。
図１は本考案に係るテレビ視聴制御装置とテレビとの接続構成を示す遮断図である。
【００２３】
図１を参照すると、本考案のテレビ視聴制御装置１００は、デジタルインターフェース部（図示せず）を介してデジタル画像ソース２００とテレビ２１０との間に装着され、視聴者とテレビ２１０との距離を測定して、設定された距離以内の位置で視聴者がテレビ２１０を視聴する場合にデジタル画像データ信号の出力を遮断し、設定された視聴時間が経過しても連続的に視聴する場合にデジタル画像ソース２００から提供されるデジタル画像データ信号のブルーライトを調節し、無線通信網２０を介してスマートフォン２２０から遠隔制御信号が受信されると、テレビ視聴とブルーライト調節を制御する。
【００２４】
このため、本考案のテレビ視聴制御装置１００は、デジタル画像ソース２００とテレビ２１０との間にデジタルインターフェースケーブル１０を介して接続され、スマートフォン２２０とは無線通信網２０を介して接続される。
【００２５】
本考案の実施形態において、デジタルインターフェース部とデジタルインターフェースケーブル１０は、高鮮明マルチメディアインターフェース（Ｈｉｇｈ  Ｄｅｆｉｎｉｔｉｏｎ  Ｍｕｌｔｉｍｅｄｉａ  Ｉｎｔｅｒｆａｃｅ：ＨＤＭＩ（登録商標））規格のプロトコルを用いる。また、本考案の実施形態において、無線通信網２０は、ブルートゥース（登録商標）（ｂｌｕｅｔｏｏｔｈ（登録商標））、ワイファイ（Ｗｉ−Ｆｉ）などを含む。
具体的に、図２乃至図４を用いて本考案に係るテレビ視聴制御装置の構成および機能を詳細に説明する。
【００２６】
すなわち、図２は図１に示されたテレビ視聴制御装置の構成を示す斜視図、図３は図２に示されたテレビ視聴制御装置の構成を示す遮断図、図４は図３に示されたインターフェース信号処理部の構成を示す回路図である。
【００２７】
図２乃至図４を参照すると、本考案のテレビ視聴制御装置１００は、超音波センサー１５０を用いてリアルタイムにて視聴者とテレビ２１０との距離を検知して、設定された視聴距離内に視聴者が検知されると、テレビ２１０に入力されるデジタル画像データ信号を遮断するようにする画面遮断モード機能と、テレビ２１０の視聴の際に、視力に悪影響を与えるブルーライト（ｂｌｕｅ  ｌｉｇｈｔ）低減モードで設定時間以上に視聴者の連続視聴が検知されると、入力されたデジタル画像データ信号のうちＢ（Ｂｌｕｅ）チャンネルのデジタル画像データ信号を再処理してブルーライトを低減させて出力するようにする連続視聴遮断モード機能と、スマートフォン２２０のアプリケーション（図示せず）を用いてテレビ視聴時間の取り締まりとブルーライトの調節を制御する遠隔制御モード機能とを処理する。
【００２８】
具体的に、本考案のテレビ視聴制御装置１００は、ＨＤＭＩ（登録商標）入力コネクタ１２０と、ＨＤＭＩ（登録商標）出力コネクタ１３０と、距離設定部１４０と、時間設定部１４２と、超音波センサー１５０と、装着型無線通信モジュール１６０と、制御ユニット１０２とを含む。このような本考案のテレビ視聴制御装置１００は、外部の別途電源を使用せずに、テレビ２１０のＨＤＭＩ（登録商標）インターフェース部を介して電源の供給を受けて作動する。もちろん、テレビ視聴制御装置１００は、テレビ２１０のＵＳＢ端子を介して電源の供給を受けてもよく、別途の電源供給アダプターを用いてもよい。
【００２９】
ＨＤＭＩ（登録商標）入力コネクタ１２０は、例えば、セットトップボックス、コンピュータ、デジタルビデオ再生装置などのデジタル画像ソース２００のＨＤＭＩ（登録商標）インターフェース部（図示せず）に装着されるＨＤＭＩ（登録商標）コネクタとして備えられ、ＨＤＭＩ（登録商標）ケーブル１２２を介して制御ユニット１０２に接続される。ＨＤＭＩ（登録商標）出力コネクタ１３０は、テレビ２１０のＨＤＭＩ（登録商標）インターフェース部（図示せず）に装着されるＨＤＭＩ（登録商標）コネクタとして備えられ、ＨＤＭＩ（登録商標）ケーブル１３２を介して制御ユニット１０２に接続される。
【００３０】
距離設定部１４０は、例えば、一定距離単位で調節可能な調節レバーとして備えられ、制御ユニット１０２の外部の一側に距離調節可能に装着され、テレビ２１０と視聴者との距離、すなわち視聴距離を設定する。距離設定部１４０によって設定された距離情報は、制御ユニット１０２の制御部（図３の１０４）に保存される。
【００３１】
時間設定部１４２は、例えば、一定時間単位で調節可能な調節レバーとして備えられ、制御ユニット１０２の外部の一側に時間調節可能に装着され、テレビ２１０の連続視聴を制限するための時間、すなわち、連続視聴が許容される視聴時間を設定する。時間設定部１４２で設定された時間情報は、制御ユニット１０２の制御部１０４に保存される。このため、制御部１０４にはタイマー（図示せず）が備えられる。
【００３２】
超音波センサー150は、制御ユニット１０２にケーブルを介して電気的に接続され、テレビ２１０の視聴者の位置を検知してテレビ２１０と視聴者との視聴距離をリアルタイムで測定する。超音波センサー150は、測定された距離情報を制御部１０４へ提供する。
【００３３】
装着型無線通信モジュール１６０は、制御ユニット１０２の一側に着脱可能なモジュールとして備えられ、無線通信網２０を介してスマートフォン２２０と相互接続される。この実施形態において、無線通信網２０は例えば、ブルートゥース（登録商標）、無線ＷｉＦｉなどを含む。
【００３４】
装着型無線通信モジュール１６０は、複数のピンが外部に突出するピンヘッダー１６２が備えられ、これにより、制御ユニット１０２の一側に備えられるピンソケット（図３の１０６）に挿入されて電気的に接続される。装着型無線通信モジュール１６０は、無線通信網２０を介してスマートフォン２２０から遠隔制御信号が受信されると、受信された遠隔制御信号を制御部１０４へ伝達する。
【００３５】
制御ユニット１０２は、テレビ視聴制御装置１００の諸動作を処理するように制御する。すなわち、制御ユニット１０２は、デジタル画像ソース２００からデジタル画像データ信号を受けてテレビ２１０に画像が表示されるように出力する。制御ユニット１０２は、距離設定部１４０を介して設定された距離情報と、時間設定部１４２を介して設定された時間情報を内部メモリ（図示せず）に保存する。
【００３６】
制御ユニット１０２は、超音波センサー１５０から視聴者とテレビ２１０との測定された距離情報をリアルタイムで受け、設定された距離情報と測定された距離情報とを比較する。制御ユニット１０２は、設定された距離情報以内の位置で視聴者がテレビ２１０を視聴すれば、デジタル画像データ信号の出力を遮断する。
【００３７】
制御ユニット１０２は、設定された視聴時間が経過しても視聴者が連続的に視聴する場合、すなわち、超音波センサー１５０から視聴者が検知され、検知された時刻から一定時間以上連続して視聴者が検知されると、デジタル画像ソース２００から提供されるデジタル画像データ信号のブルーライトを調節して再処理し、再処理されたデジタル画像データ信号をテレビ２１０へ出力する。
【００３８】
制御ユニット１０２は、無線通信網２０を介してスマートフォン２２０から遠隔制御信号が受信されると、受信された遠隔制御信号に応答して、テレビ２１０へ出力されるデジタル画像データ信号を遮断するか、或いはブルーライトを調節して出力するようにすることにより、テレビ２１０の視聴を取り締まる。
【００３９】
この実施形態の制御ユニット１０２は、図３に示すように、インターフェース信号処理部１１０と、距離設定部１４０と、時間設定部１４２と、制御部１０４とを含む。
【００４０】
制御部１０４は、例えば、マイクロコントロールユニット、プロセッサ、コントローラなどとして備えられ、内部にメモリ、タイマーなどが備えられ、装着型無線通信モジュール１６０のピンヘッダー１６２が装着されるピンソケット１０６と電気的に接続される。制御部１０４は、インターフェース信号処理部１１０、距離設定部１４０、時間設定部１４２、超音波センサー１５０、及び 装着型無線通信モジュール１６０を制御する。制御部１０４は、内部メモリに設定された距離情報と時間情報を保存する。
【００４１】
制御部１０４は、デジタル画像ソース２００からインターフェース信号処理部１１０に入力されるデジタル画像データ信号を受けて信号処理してテレビ２１０へデジタル画像データ信号を出力するように制御する。制御部１０４は、デジタル画像データ信号の出力中に超音波センサー１５０から視聴者が検知され、視聴者とテレビ２１０との測定された距離情報が、設定された距離情報以内であるか否かを判別して、視聴者の位置が設定された距離情報以内であれば、デジタル画像データ信号の出力を遮断するようにインターフェース信号処理部１１０を制御する。
【００４２】
制御部１０４は、視聴者が設定された視聴時間以上に連続視聴すれば、すなわち、超音波センサー１５０から視聴者が検知され、検知された時刻から設定された視聴時間以上に連続して視聴者が検知されると、デジタル画像ソース２００から入力されるデジタル画像データ信号のブルーライトを調節してインターフェース信号処理部１１０へ出力する。このため、インターフェース信号処理部１１０は、制御部１０４からブルーライトが調節されたデジタル画像データ信号を再処理してテレビ２１０へ出力する。
【００４３】
制御部１０４は、装着型無線通信モジュール１６０から遠隔制御信号が受信されると、これに応答して、テレビ２１０に出力されるデジタル画像データ信号を遮断または伝送するようにインターフェース信号処理部１１０を制御するか、或いは、ブルーライトを調節するようにインターフェース信号処理部１１０を制御する。
【００４４】
インターフェース信号処理部１１０は、ＨＤＭＩ（登録商標）入力コネクタ１２０を介してＨＤＭＩ（登録商標）画像データ信号を受け入れてＨＤＭＩ（登録商標）出力コネクタ１３０へ伝達する。インターフェース信号処理部１１０は、制御部１０４の制御を受けて、テレビ２１０へ出力されるＨＤＭＩ（登録商標）画像データ信号を遮断または伝送するように処理する。インターフェース信号処理部１１０は、制御部１０４からブルーライトが調節されたＨＤＭＩ（登録商標）画像データ信号を受けて再処理し、再処理されたデジタル画像データ信号をテレビ２１０へ伝送するように処理する。
【００４５】
具体的に、インターフェース信号処理部１１０は、図４に示すように、ＨＤＭＩ（登録商標）入力部１１１と、スイッチング部１１２と、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｌｉｎｇ）トランスミッタ１１３と、ＨＤＭＩ（登録商標）出力部１１７とを含む。図４では、インターフェース信号処理部１１０にＨＤＭＩ（登録商標）画像データ信号を処理する構成のみが示されており、ＨＤＭＩ（登録商標）音声データ信号を処理する構成が示されていない。しかし、インターフェース信号処理部１１０は、デジタル画像及び音声データ信号を処理する典型的なＨＤＭＩ（登録商標）インターフェース規格による構成を有し、デジタル画像データ信号だけでなく、デジタル音声データ信号を遮断または伝送するように処理することができる。したがって、ここでは、デジタル音声データ信号を処理する構成及び機能についての詳細な説明は省略する。
【００４６】
ＨＤＭＩ（登録商標）入力部１１１は、ＨＤＭＩ（登録商標）入力コネクタ１２０からＨＤＭＩ（登録商標）画像データ信号を受け入れる。ＨＤＭＩ（登録商標）入力部１１１は、例えば、ＨＤＭＩ（登録商標）画像データ信号を３色（Ｒ、Ｇ、Ｂ）のチャンネルに受け入れる。各チャンネル（Ｒ、Ｇ、Ｂ）は、８ビットのＨＤＭＩ（登録商標）画像データ信号で構成される。
【００４７】
スイッチング部１１２は、例えば、チャンネル（Ｒ、Ｇ、Ｂ）それぞれに対応して複数のスイッチから構成されたスイッチアレイ（ｓｗｉｔｃｈ  ａｒｒａｙ）として備えられ、制御部１０４の制御信号（ＯＮ／ＯＦＦ）を受けてチャンネル（Ｒ、Ｇ、Ｂ）別にスイッチングされる。
【００４８】
スイッチング部１１２は、制御部１０４がＨＤＭＩ（登録商標）画像データ信号のブルーライトを調節する場合、ＨＤＭＩ（登録商標）入力部１１１から入力されたＨＤＭＩ（登録商標）画像データ信号のうち、ＲチャンネルとＧチャンネルのＨＤＭＩ（登録商標）画像データ信号をＴＭＤＳトランスミッタ１１３へ伝送するようにスイッチングオン（ＯＮ）され、ＢチャンネルのＨＤＭＩ（登録商標）画像データ信号ＢＬ＿ＤＡＴＡを遮断して制御部１０４へ提供するようにスイッチングオフ（ＯＦＦ）される。
【００４９】
このため、制御部１０４は、ＢチャンネルのＨＤＭＩ（登録商標）画像データ信号ＢＬ＿ＤＡＴＡを受けてブルーライトを調節した後、ブルーライトが調節されたＢチャンネルのＨＤＭＩ（登録商標）画像データ信号ＢＬ＿ＤＡＴＡ’をＴＭＤＳトランスミッタ１１３へ伝送する。
【００５０】
この実施形態において、制御部１０４は、ＢチャンネルのＨＤＭＩ（登録商標）画像データ信号に対するクロック信号の周波数を平常時の周波数よりも低く（例えば、約５０％など）設定し、設定されたクロック信号に同期させてＢチャンネルのＨＤＭＩ（登録商標）画像データ信号ＢＬ＿ＤＡＴＡ’をＴＭＤＳトランスミッタ１１３へ出力させる。このため、ＴＭＤＳトランスミッタ１１３は、ＲチャンネルとＧチャンネルのＨＤＭＩ（登録商標）画像データ信号、及びブルーライトが調節されたＢチャンネルのＨＤＭＩ（登録商標）画像データ信号を再処理して出力する。
【００５１】
また、制御部１０４は、超音波センサー１５０から視聴者の位置が設定された距離情報以内に検知されるか、或いは、音波センサー１５０から視聴者が検知された後に、時間設定部１４２によって設定された視聴時間以上に視聴者が連続的にテレビ２１０を視聴するか、或いは、装着型無線通信モジュール１６０から遠隔制御信号が受信されると、これに対応して、スイッチング部１１２の全部または一部をスイッチングオフ（ＯＦＦ）してインターフェース信号処理部１１０からのＨＤＭＩ（登録商標）画像データ信号を遮断し、或いはブルーライトを調節する。
【００５２】
ＴＭＤＳトランスミッタ１１３は、ＨＤＭＩ（登録商標）入力部１１１から伝送されたＨＤＭＩ（登録商標）画像データ信号をチャンネル（Ｒ、Ｇ、Ｂ）別に受け入れ、各チャンネル（Ｒ、Ｇ、Ｂ）別にＴＭＤＳレベル信号に変換して出力する。このようにＴＭＤＳトランスミッタ１１３で変換されたＴＭＤＳレベル信号は、テレビ２１０でＨＤＭＩ（登録商標）画像データ信号にデコードされる。
この実施形態において、ＴＭＤＳトランスミッタ１１３は、エンコーダ１１４、位相同期ループ（ＰＬＬ）回路１１６、及び複数の差動増幅器１１５を含む。
【００５３】
エンコーダ１１４は、例えば、８ビットのデータを１０ビットのデータにエンコードするエンコーダ（８ｂ／１０ｂ  ｄａｔａ  ｅｎｃｏｄｅｒ）として備えられ、ＨＤＭＩ（登録商標）入力部１１１から伝送されたＨＤＭＩ（登録商標）画像データ信号を、ＰＬＬ回路１１６からのクロック信号に同期して各チャンネル（Ｒ、Ｇ、Ｂ）別にＴＭＤＳレベル信号にエンコードする。
【００５４】
ＰＬＬ回路１１６は、エンコーダ１１４へクロック信号を出力する。差動増幅器１１５それぞれは、エンコーダ１１４から出力される各チャンネル（Ｒ、Ｇ、Ｂ）別のＴＭＤＳレベル信号とクロック信号を増幅してＨＤＭＩ（登録商標）出力部１１７へ出力する。
【００５５】
ＨＤＭＩ（登録商標）出力部１１７は、ＴＭＤＳトランスミッタ１１３から出力されるＴＭＤＳレベル信号とクロック信号を受けてテレビ２１０へ伝送するようにＨＤＭＩ（登録商標）出力コネクタ１３０へ出力する。このため、テレビ２１０は、ＴＭＤＳレシーバ（図示せず）を介して、ＨＤＭＩ（登録商標）出力コネクタ１３０から伝送されたＴＭＤＳレベル信号とクロック信号を受けてＨＤＭＩ（登録商標）画像データ信号にデコードして画像を出力する。
【００５６】
続いて、図５は本考案に係るテレビ視聴制御装置の制御手順を示すフローチャートである。この手順は、テレビ視聴制御装置１００の制御部１０４が処理するプログラムであって、このプログラムは制御部１０４の内部メモリ（図示せず）に保存される。このとき、本考案のテレビ視聴制御装置１００は、デジタル画像ソース２００とテレビ２１０それぞれのデジタルインターフェース部（図示せず）に装着される。また、テレビ視聴制御装置１００には装着型無線通信モジュール１６０が装着されている。
【００５７】
図５を参照すると、本考案のテレビ視聴制御装置１００は、ステップＳ３００で距離設定部１４０と時間設定部１４２を用いて視聴者とテレビ２１０との視聴距離及び視聴時間が設定されると、制御部１０４は、設定された距離情報と時間情報を内部メモリに保存する。
【００５８】
ステップＳ３１０で、制御部１０４は、超音波センサー１５０から視聴者が検知されると、視聴者とテレビ２１０との距離を測定し、測定された視聴者の位置が設定された距離以内で検知されるか否かを判別する。判別結果、設定した距離内で視聴者が検知されれば、制御部１０４は、ステップＳ３２０に進み、デジタル画像ソース２００から提供されるデジタル画像データ信号を遮断するようにインターフェース信号処理部１１０を制御し、ステップＳ３１０に進む。
【００５９】
しかし、判別結果、設定された距離以内で視聴者が検知されなければ、ステップＳ３３０に進み、制御部１０４は、デジタル画像ソース２００から提供されるデジタル画像データ信号をテレビ２１０へ提供するようにインターフェース信号処理部１１０を制御して画像を出力させる。
【００６０】
ステップＳ３４０で、制御部１０４は、テレビ２１０の視聴が開始した後、すなわち、超音波センサー１５０によって視聴者が検知された後、設定された視聴時間が経過するか否かを判別する。判別結果、視聴者が検知され、検知された時刻から設定された視聴時間が経過すれば、ステップＳ３５０に進み、制御部１０４は、インターフェース信号処理部１１０を制御し、デジタル画像ソース２００から提供されるデジタル画像データ信号のブルーライトを調節することにより、ステップＳ３６０で、ブルーライトが調節されたデジタル画像データ信号をテレビ２１０へ提供するようにインターフェース信号処理部１１０を制御して画像を出力させる。
しかし、判別結果、視聴者が検知され、検知された時刻から設定された視聴時間が経過しなければ、制御部１０４は、ステップＳ３３０に進む。
【００６１】
ステップＳ３７０で、制御部１０４は、装着型無線通信モジュール１６０から遠隔制御信号が受信されるか否かを判別する。判別結果、遠隔制御信号が受信されなければ、この手順はステップＳ３６０に進む。
【００６２】
しかし、判別結果、遠隔制御信号が受信されれば、この手順はステップＳ３８０に進み、制御部１０４は画像出力を制御する。ここで、上述したステップＳ３７０ないしステップＳ３８０の過程、すなわち、遠隔制御モード機能は、図５に示すように、画面遮断モード機能と連続視聴遮断モード機能を処理した後、順次処理可能であるが、ステップＳ３００ないしステップＳ３５０のいずれの手順でも優先的に処理できる。
【００６３】
以上、本考案に係るテレビ視聴制御装置の構成及び作用を詳細な説明と図面に基づいて示したが、これは実施形態を挙げて説明したものに過ぎず、本考案の技術的思想を逸脱しない範囲内で多様な変化及び変更が可能である。
【図１】
0003224498.tif 000003
【図２】
0003224498.tif 000004
【図３】
0003224498.tif 000005
【図４】
0003224498.tif 000006
【図５】
0003224498.tif 000007